(57)【要約】      （修正有）【課題】視認効果が高く、複数のポスターを夜間でも視認でき、広告効果が高い、大型電飾看板搭載広告専用車両を提供する。【解決手段】車両本体に据え付けた電飾看板の外枠１に表面は透明性の高い強化プラスチック板２を設置し、その内部に、数枚のポスター入れ替え自在のビニール等の材質のシート４に数種類の画像ポスターをつなぎ合わせ、該シートをモーター５にて回転稼働するように装着して数枚のポスターが表示され、別途、該車両に装着したスピーカーにて音声を発生させて広告宣伝をすることを特徴とする。【選択図】図１
0003152311.tif 000002
【実用新案登録請求の範囲】
【請求項１】
車両本体に据え付けた電飾看板の外枠（１）に表面は透明性の高い強化プラスチック板（２）を設置し、その内部に、数枚のポスター入れ替え自在のビニール等の材質のシート（４）に数種類の画像ポスターをつなぎ合わせ、該シートをモーター（５）にて回転稼働するように装着して数枚のポスターが表示され、別途、該車両に装着したスピーカー（７）にて音声を発生させて広告宣伝をすることを特徴とする大型電飾看板搭載広告専用車両。
【請求項２】
請求項１に追加して車両搭載の本体外枠（１）の内側に広告用ポスターをプリントした透視性の高いプラスチック板（５）を強化プラスチック板（２）とシート（４）との間に取り換え自在とした構造で装着し、広告宣伝を行うことを特徴とする大型電飾看板搭載広告専用車両。
【請求項３】
上記請求項１及び２に関し、宣伝表示をするポスターを内部からＥＬＤ板等の照明器具（３）を用いてポスターを照らし、夜間でも視認できるようにしたことを特徴とする大型電飾看板搭載広告専用車両。
【請求項４】
上記請求項１、２及び３に関し、車両エンジンと直結をした充電器兼蓄電器（８）を電源として該ポスター等を照らし、又、モーター（６）を稼働さす電源とする他に、電飾看板の外周や上部に太陽光発電パネル（９）を装着して、太陽発電を行いその発電電力を一旦充電器兼蓄電器（８）に蓄電して、その電源にて車両搭載の装置一式を稼働さす電源として使用して広告宣伝をすることを特徴とする大型電飾看板搭載広告専用車両。
【考案の詳細な説明】
【技術分野】
【０００１】  車両本来の目的は、物品を運搬する、又は人を乗車させて移送するものであるが、本考案の車両は広告宣伝のみに使用するものであり、その広告宣伝方法は、該車両に大型の電飾看板およびスピカーを搭載して、該車両を市中及びイベント会場等を走行及び停車して広告宣伝をするものである。
又、映像表示の電飾看板は輝度が高く、省電力で寿命が長いことが特徴のＥＬＤ板照明器具等を使用して省エネを高めた構造とする。
【背景技術】
【０００２】  現在使用されている車両広告は、バスやトラック等に小さな看板を貼り付けて、あるいは窓やドアー部分を除いたスペースにポスターをペイントして広告宣伝をしているものであるが、広告スペースは狭く小さいので視認効果は低く、単一の広告しかできなく、ポスターを照らす照明器具もなく夜間は視認できない等の問題がある。
【考案の開示】
【考案が解決しようとする課題】
【０００３】  本考案は、上記従来の欠点を解決するもので、その目的とするところは、従来の車両にポスターを貼り付けた単一の広告しか宣伝できない広告宣伝方法に替えて、大型電飾看板及びスピーカーを車両に搭載して、数枚の大型ポスターをビニールシートに印刷してつなぎ合わせる方法、又、その他に、差し替え自在の透視性の高いプラスティック板等にポスターを印刷したものを装着して看板として使用する。
別途、電飾看板本体の内部に該ポスターが夜間でも視認できる照明器具を内蔵させる。
更に広告効果を高めるためにスピーカーを使用して音声を発生させて、市内やイベント会場等を走行して広告宣伝をするものである。
【課題を解決するための手段】
【０００４】  上記目的を達成するために、本考案の大型電飾看板は、車両全体を広告宣伝のみに使用する為、電飾看板を大きくすることが可能となり、ビニールシート等の透明性の高いシートにポスターの数枚のデザインをプリントしたものを内部より照明して広告するため明るく夜間でも視認でき、しかも数枚の広告ができる。
他に、ビニールシートとは別にプラスチック類の透視性の高い板にポスターデザインをプリントしたものを差替え自在にして広告宣伝をする。
電源は、車両エンジンに直結した充電器兼蓄電器に太陽光発電システムにより発電した電気を一旦該充電器兼蓄電器に蓄電して節電をする。
【考案の効果】
【０００５】  本考案の大型電飾看板搭載広告専用車両による広告宣伝は、数枚のビニールシートポスターを表示して広告し、音声を発生さすことができ、別途、単一の透明性の高いプラスティック類の板にポスターをプリントしたものを差し替え自在として装着し、より多くのポスターを広告宣伝することができるようにし、更に照明器具を用いているので、夜間でも視認ができ、よって広告効果も高く、音声による効果音もより宣伝効果を高めることができるもので、従来の車両に対しポスター貼り付ける等の広告よりはるかに多額の広告収益を得ることが出来るものである。
【考案を実施するための最良の形態】
【０００６】  大型電飾看板を車両本体に据え付けた電飾看板本体（１）には、その表面に透明性の高い強化プラスチック板（２）を設置し、その内部に、数枚のポスター入れ替え自在のビニール等の材質のシート（４）に数種類の画像ポスターをつなぎあわせ、該シートをモーター（６）にて回転稼働するように装着して数枚のポスターを表示し、別途、透視性の高いプラスチック類の板（５）にポスターデザインをプリントしたものを差替え自在にして、多くのポスターを装着し、それらのポスターを内部より照明器具（３）を用いて照明し夜間でも視認できるようにした。
又、該車両に装着したスピーカー（７）にて音声を発生させて広告宣伝効果を高めるものとした。
車載装着の一式装置を稼働さす電源は、車両エンジンのバッテリーと直結をして充電および蓄電機能のある充電器兼蓄電器を使用し、その他に該車両搭載太陽光発電パネル（９）により発電した電気を一旦該充電器兼蓄電器（８）に蓄電をして、節電効果を図るものである。
【実施例】
【０００７】  本考案の実施例を図面について以下の通り説明する。
図１に示す如く、大型電飾看板本体（１）には、その表面に透明性の高い強化プラスチック板（２）を設置し、その内部に、数枚のポスター入れ替え自在のビニール等の材質のシート（４）に数種類の画像ポスターをつなぎ合わせ、該シートをモーター（６）にて回転稼働するように装着して数枚のポスターを表示し、別途、透視性の高いプラスチック類の板（５）を、表面強化プラスチック板（２）と回転するビニールシート（４）の中間にポスターデザインをプリントしたものを差替え自在にして配して、、多くのポスターを装着し、それらのポスターを内部より照明器具（３）を用いて照明し夜間でも視認できるようにした。
図２に示すが如く、車両本体に、大型電飾看板本体（１）を装着し、本体に付属してスピーカー（６）、及び大型電飾看板本体上部の太陽光発電パネル（９）を装着して、太陽光発電をしながら広告宣伝するもの。
図３に示すが如く、大型電飾看板本体（１）を車両の左右両面に取付け、本体に充電器兼蓄電器（８）を内蔵させて、照明器具やモーターを稼働させる電源とし、上部に太陽光発電パネル（９）を装着して、発電を行い省エネ効果を図ったものとするもの。
【産業上の利用可能性】
【０００８】  人が多数集まる場所である市内及びイベント広場で行う本方式の広告は、ポスター等の紙類による広告を行わない、又、技術的には容易であるので産業上の利用可能性は充分に見込めるものである。
【図面の簡単な説明】
【０００９】
【図１】  大型電飾看板側面断面図
【図２】  大型電飾看板を搭載した車両側面図
【図３】  大型電飾看板を搭載した車両後方正面断面図
【符号の説明】
【０００１０】１      大型電飾看板本体
２      大型の透視性の高い強化プラスチック板
３      ＥＬＤ板等省エネ用照明器具
４      広告用ポスター等を印刷したビニールシート
５      差し替え自在のポスターを印刷した透視性の高いプラスチック板
６      上記４のビニールシートを回転さすモーター
７      スピーカー
８      充電器兼蓄電器
９      大型電飾看板本体上部の太陽光発電パネル
【図１】
0003152311.tif 000003
【図２】
0003152311.tif 000004
【図３】
0003152311.tif 000005
【手続補正書】
【提出日】平成21年5月1日(2009.5.1)
【手続補正１】
【補正対象書類名】実用新案登録請求の範囲
【補正対象項目名】全文
【補正方法】変更
【補正の内容】
【実用新案登録請求の範囲】
【請求項１】
車両本体に据え付けた電飾看板の外枠（１）に表面は透明性の高い強化プラスチック板（２）を設置し、その内部に、数枚のポスター入れ替え自在のビニール等の材質のシート（４）に数種類の画像ポスターをつなぎ合わせ、該シートをモーター（５）にて回転稼働するように装着して数枚のポスターが表示され、別途、該車両に装着したスピーカー（７）にて音声を発生させて広告宣伝をすることを特徴とする大型電飾看板搭載広告専用車両。
【請求項２】
大型電飾看板搭載広告専用車両の本体外枠（１）の内側に広告用ポスターをプリントした透視性の高いプラスチック板（５）を強化プラスチック板（２）とシート（４）との間に取り換え自在とした構造で装着し、広告宣伝を行うことを特徴とする請求項１記載の大型電飾看板搭載広告専用車両。
【請求項３】
宣伝表示をするポスターを内部からＥＬＤ板等の照明器具（３）を用いてポスターを照らし、夜間でも視認できるようにしたことを特徴とする上記請求項１記載の大型電飾看板搭載広告専用車両。
【請求項４】
大型電飾看板搭載広告専用車両は、車両エンジンと直結をした電器兼蓄電器（８）を電源として該ポスター等を照らし、又、モーター（６）を稼働さす電源とする他に、電飾看板の外周や上部に太陽光発電パネル（９）を装着して、太陽発電を行いその発電電力を一旦充電器兼蓄電器（８）に蓄電して、その電源にて車両搭載の装置一式を稼働さす電源として使用して広告宣伝をすることを特徴とする請求項１記載の大型電飾看板搭載広告専用車両。